(57)【特許請求の範囲】
【請求項１】
躯体固着面部、側壁面部、及び天面部を備え、天面部の一側端縁部を下側に折り返して巻き込み部を形成してなる構成を有するパラペット化粧材と、笠木材と、この笠木を固定する笠木ホルダー材とからなり、パラペット化粧材はその躯体固着面部を天端面に固着して天端面に固定し、笠木材は天端面に固定された笠木ホルダー材に装着して、笠木材の他側端部をパラペット化粧材内における前記巻き込み部の側壁面部側に配設し、パラペット化粧材の巻き込み部と笠木材との間をシーリング処理してなる構成を有する天端面被覆構造。
【請求項２】
躯体固着面部、側壁面部、及び天面部を備え、天面部の一側端縁部を下側に折り返して巻き込み部を形成し、更にこの巻き込み部端部に立設壁部を形成してなる構成を有するパラペット化粧材と、笠木材と、この笠木を固定する笠木ホルダー材とからなり、パラペット化粧材はその躯体固着面部を天端面に固着して天端面に固定し、笠木材は天端面に固定された笠木ホルダー材に装着して、笠木材の他側端部をパラペット化粧材内における前記立設壁部の側壁面部側に配設し、パラペット化粧材内に、立面部、上面部、及び係止片部を備え、該上面部が前記天面部下面に当接し、その弾発性によって該係止片部が前記巻き込み部を下方に押圧して前記立設壁部の下端部を笠木材に当接せしめる付勢部材を装着してなる構成を有する天端面被覆構造。
【発明の詳細な説明】
【０００１】
【発明の属する技術分野】
本発明は、建造物のパラペット天端部などを被覆し、これを保護し得るパラペット化粧材及び天端面被覆構造であって、特に防水作用を維持しつつ建物外観の美観保持にも有効なパラペット化粧材及び天端面被覆構造に関する。
【０００２】
【従来の技術及び発明が解決しようとする課題】
従来、この種の天端面被覆構造、すなわちパラペット天端面Ｂを被覆し防水作用を維持しつつ建物外観の美観保持にも有効な天端面被覆構造としては、例えば図５に示すように、パラペット天端面を被覆するように設置された笠木本体５１の一側に外装化粧材５２を係着して笠木を構成するものなどが開示されていた（特開平９−４１６００号、実開平６−７１６８７号）。
【０００３】
このように笠木本体５１と外装化粧材５２とを別個に形成し、外装化粧材５２を笠木本体５１に係着する構成とすれば、外装化粧材５２のみを取り替えるだけで異なる外観形状を付与することができるから、安価に模様変えを行なうことができるほか、既設の笠木に取り付けてデザイン性を付与することもできる。
【０００４】
しかし、上述のように単に笠木本体５１に外装化粧材５２を単に係着しただけでは、極めて大きな地震等によって外装化粧材５２が離脱するおそれがあるほか、笠木本体５１に係合受け構造を設け、外装化粧材５２にはかかる係合受け構造に対応した係合構造を設ける必要がある。つまり笠木本体５１の形状ごとに外装化粧材５２を用意しなければならない不都合があった。
【０００５】
そこで本発明は、かかる課題解決のため、笠木材と化粧材とを別個に形成し、これらを組み合わせて天端面を被覆する天端面被覆構造において、化粧材を確実に固定することができ、しかも笠木材の形状にとらわれることなく化粧材を連結することができ、それでいて雨仕舞を確実なものとすることができる天端面被覆構造及びこれを構成するパラペット化粧材を提供せんとする。
【０００６】
【課題を解決するための手段】
上記課題を解決するため、本発明は、躯体固着面部、側壁面部、及び天面部を備え、天面部の一側端縁部を下側に折り返して巻き込み部を形成してなる構成を有するパラペット化粧材と、笠木材と、この笠木を固定する笠木ホルダー材とからなり、パラペット化粧材はその躯体固着面部を天端面に固着して天端面に固定し、笠木材は天端面に固定された笠木ホルダー材に装着して、笠木材の他側端部をパラペット化粧材内における前記巻き込み部の側壁面部側に配設し、パラペット化粧材の巻き込み部と笠木材との間をシーリング処理することとした。
【０００７】
このように天端面被覆構造を形成すれば、化粧材を単独で天端面に固定することができるから、大きな地震や強風などによっても化粧材が天端面から離脱するおそれがない。更に、笠木材の一側端部をパラペット化粧材内に配置し、パラペット化粧材と笠木材との間をシーリング処理すれば化粧材と笠木材とを止水可能に連結することができるから、笠木材が特別の係合受け構造又は係合構造を有していなくなくても化粧材を連結することができ、それでいて雨仕舞を確実なものとすることができる。また、化粧材の外形形状は任意にデザインすることが可能であり、天端部にデザイン性を有効に付与することができる。
【０００８】
また、本発明の天端面被覆構造は、躯体固着面部、側壁面部、及び天面部を備え、天面部の一側端縁部を下側に折り返して巻き込み部を形成し、更にこの巻き込み部端部に立設壁部を形成してなる構成を有するパラペット化粧材と、笠木材と、この笠木を固定する笠木ホルダー材とからなり、パラペット化粧材はその躯体固着面部を天端面に固着して天端面に固定し、笠木材は天端面に固定された笠木ホルダー材に装着して、笠木材の他側端部をパラペット化粧材内における前記立設壁部の側壁面部側に配設し、パラペット化粧材内に付勢部材を装着し、この付勢部材によってパラペット化粧材の立設壁部を笠木材に当接せしめる構成とすることもできる。このように構成した場合も上記と同様の効果を得ることができる。
【０００９】
【発明の実施の形態】
以下、本発明の実施の形態を実施例に基づき説明する。
【００１０】
本例の天端面被覆構造１は、図１に示すように、化粧材２、笠木材３及びこの笠木材３を固定する笠木ホルダー材４とから構成され、化粧材２はパラペットＡの天端面Ｂの短手方向一側（図の右側）端部分を被覆し、笠木材３はこの化粧材２と一部重なり天端面Ｂにおける化粧材２の短手方向他側（図の左側）部分を被覆している。
【００１１】
化粧材２は、ステンレス乃至アルミニウム等の金属材からなる長尺材であって、図１に示すように、天端面Ｂの長手方向に長尺に形成された躯体固着面部５の天端面短手方向一側（図の右側）端縁部を下方折曲して下折れ片５ｂを形成し、当該躯体固着面５の短手方向中間部より若干当該一側寄り部位において長手方向に沿って適宜高さの側壁面部６を起立し、側壁面部６上に水平若しくは天端面短手方向他側（図の左側）に若干下り勾配してなる天面部７を設け、この天面部７の当該一側端縁部を上方折曲して上折れ片７ｂを形成し、天面部７の当該他側縁部を下側にコ字状に折り返して巻き込み部８とし、この巻き込み部８の端部に立設壁部９を形成してなっている。
上記巻き込み部８は、垂下面８ａと水平面８ｂとからなっており、この水平面８ｂに対して略Ｔ字状に交又するように立設壁部９が形成されている。
【００１２】
この化粧材２は、躯体固着面部５に穿設したボルト挿通穴５ｃ，５ｃを通してアンカーボルト１０、１０を天端面Ｂに打ち込んでボルト固定されている。
【００１３】
他方、笠木材３は、ステンレス乃至アルミニウム等の金属材からなる長尺材であって、図１に示すように、天端面Ｂの長手方向に長尺に形成され、天端面短手方向他側（図の左側）に向かって下り勾配してなる天板面部１１の当該他側端縁部を下方折曲して垂下側面部１２を形成すると共に、この垂下側面部１２の下端縁部を天端面短手方向一側（図の右側）に略水平に折曲して係止受片部１３を形成する一方、天板面部１１の当該一側端縁部を上方に折曲して係止片縁部１４を形成してなっている。
【００１４】
そしてこの笠木材３を支持固定する「笠木ホルダー材４」は、図２に示すように、少なくとも天端面短手方向両側に連結受部を備えた中間連結部材１５と、この中間連結部材１５の天端面短手方向他側（図の左側）に連結し、笠木材３の係止受片部１３と係合し得る係止端部１６ｄを備えた下折部材１６と、中間連結部材１５の天端面短手方向一側（図の右側）に連結し、笠木材３の係止片縁部１４と係合し得る係止受端部１７ｅを備えた上折部材１７とから構成されており、
【００１５】
前記中間連結部材１５は、天端面長手方向に適宜長さを有しかつ天端面Ｂの短手幅よりも短い幅を有する板面１５ａの適宜箇所に複数のボルト挿通孔１５ｂ、１５ｂ・・（図では２つ）を穿孔し、当該板面１５ａの短手方向両側縁を表面側にそれぞれコ字状に折曲して嵌入片部１５ｃ，１５ｃを形成して板面１５ａの表面側に連結受部１５ｄを形成してなっている。
また、前記下折部材１６は、上記中間連結部材１５の連結受部１５ｄに嵌入可能な突入片部１６ａの天端面短手方向他側（図の左側）端縁部を立ち上げて適宜幅を有する当接支持面１６ｂを形成し、更にこの当接支持面１６ｂの当該他側端縁部を下折して下垂面部１６ｃを形成し、この下垂面部１６ｃの下端縁部を係止端部１６ｄとしてなっており、
前記上折部材１７は、上記中間連結部材１５の連結受部１５ｄに嵌入可能な突入片部１７ａの下面に脚部１７ｂを形成する一方、上面に支持凸条部１７ｃを立設し、前記突入片部１７ａの天端面短手方向一側（図の右側）端縁部を上折して起立壁部１７ｄを形成し、更にこの起立壁部１７ｄの上端部を上記他側（図の左側）に下向きコ字状に折り返して係止受端部１７ｅを形成してなっている。
【００１６】
この笠木ホルダー材４は、中間連結部材１５の連結受部１５ｄ内にそれぞれ突入片部１６ａ、１７ａを挿入し、嵌入片部１５ｃ，１５ｃをかしめて中間連結部材１５の両側に下折部材１６及び上折部材１７を連結固定して一体に形成されており、脚部１７ｂを上記化粧材２の躯体固着面部５上に載置し、係止受端部１７ｅを化粧材２の巻き込み部８内すなわち躯体固着面部５、側壁面部６、天面部７及び巻き込み部８に囲まれた空間内に配設した状態で、ボルト挿通孔１５ｂ、１５ｂ・・を介してアンカーボルト１８、１８・・を天端面Ｂに打ち込んでボルト固定し、このようにして複数の笠木ホルダー材４、４・・が天端面Ｂの長手方向に適宜間隔をおいて配設されている。
なお、上記構成の笠木ホルダー材４は、突入片部１６ａ、１７ａを挿入する長さを調整することによって幅を適宜調整することができるようになっている。
【００１７】
上記笠木材３は、かかる笠木ホルダー材４、４・・の当接支持面１６ｂ及び支持凸条部１７ｃ上に天板面部１１を載せ、係止片縁部１４を笠木ホルダー材４の係止受端部１７ｅ内に挿入し、係止受片部１３を笠木ホルダー材４の係止端部１６ｄに掛止して固定されており、この状態で天板面部１１に上記化粧材２の立設壁部９の下端部が当接するか、若しくは近接した状態になっている。
そして、水平面８ｂ、立設壁部９及び天板面部１１によって形成される断面コ字状の入り隅部はシーリング処理１９され、かかる入り隅部から天端面Ｂ側に水が浸入しない構造となっている。
【００１８】
次に上記天端面被覆構造１の施工方法について説明すると、先ず、化粧材２を天端面Ｂの短手方向一側端部分に固定する。次に笠木ホルダー材４、４・・を天端面Ｂの長手方向に適宜間隔をおいて配設固定し、次いでこの笠木ホルダー材４、４・・に笠木材３を装着固定し、水平面８ｂ、立設壁部９及び天板面部１１によって形成される断面コ字状の入り隅部をシーリング処理１９すればよい。
【００１９】
天端面被覆構造１は上記の如く構成されているから、すなわち化粧材２それ自体単独で天端面Ｂに固定する構造となっているから、強風や大きな地震等によっても化粧材２が天端面Ｂから離脱するおそれがない。しかも化粧材２と笠木材３との連結構造においても、化粧材２の巻き込み部８内すなわち躯体固着面部５、側壁面部６、天面部７及び巻き込み部８に囲まれた空間内に笠木材３の一側端部を配置しさえすれば、あとは化粧材２の天面部７と笠木材３の天板面部１１との間隙詳しく言えば水平面８ｂ、立設壁部９及び天板面部１１によって形成される入り隅部をシーリング処理１９すればよいから、笠木材３が特別の係合受け構造又は係合構造を有していなくなくても両者を連結することができ、それでいて化粧材２及び笠木材３の内側すなわち天端面Ｂ側に雨水等が浸入することを確実に阻止できるようになっている。
更に、化粧材２の外形形状、すなわち下折れ片５ｂ、側壁面部６及び天面部７などからなる意匠形状は、例えば各部分に膨出部を設けたり、或いは各部分を波状部を設けたり、湾曲させたり、或いは凹凸部を設けたりするなど任意にデザインすることができる。
【００２０】
図３は、上記天端面被覆構造１の変形例を示した図である。
すなわち、上記天端面被覆構造１において水平面８ｂ、立設壁部９及び天板面部１１によって形成される入り隅部をシーリング処理１９する代わりに、化粧材２内に付勢部材２０を装着し、立設壁部９の下端部を笠木材３の天板面部１１に圧接せしめるか、若しくは圧接はしなくとも確実に当接せしめるようにして立設壁部９と天板面部１１との間から化粧材２及び笠木材３の内側すなわち天端面Ｂ側に雨水等が浸入しないように構成することもできる。
【００２１】
ここで、付勢部材２０は、弾発性を有する素材からなり、適宜幅を有し、例えば図３に示すように、化粧材２の内部形状に略沿うように立面部２０ａ、上面部２０ｂ及び係止片部２０ｃから一体に形成し、立面部２０ａの下端部を躯体固着面部５と側壁面部６とからなる入り隅部にあてがって化粧材２内に装着すると、上面部２０ｂが化粧材２の天面部７下面に当接し、その弾発性によって係止片部２０ｃの下端部が化粧材２の垂下面８ａに当接しこれを下方に押圧するように形成することができる。さらにこの場合、図３に示すように、化粧材２の躯体固着面部５の上面に係止凸部２１を形成し、係止凸部２１と側壁面部６との間で立面部２０ａの下端部を係止するように形成することもできる。
【００２２】
図４は、上記天端面被覆構造１とは異なる天端面被覆構造３０を示したものである。
【００２３】
この天端面被覆構造３０は、上記天端面被覆構造１における笠木材３の代わりに、天端面Ｂに防水シート材３１を被せ、この防水シート材３１の上から上記化粧材２を天端面Ｂにボルト固定してあり、防水シート材３１を天端面Ｂに固定すると共に、化粧材２の配設によってパラペット天端部にデザイン性を付与している。
なお、この天端面被覆構造３０に使用する化粧材２には、図４にも示すように、躯体固着面部５の裏面に凹凸形状、波形形状、エンボス形状を付与するなど防水シート材３１の滑り止めに機能する形状３２を形成するのが好ましい。
【図面の簡単な説明】
【図１】本発明の一実施例に係わる天端面被覆構造の一例を示す断面図である。
【図２】図１の天端面被覆構造を構成する笠木ホルダー材の一例の上面視分解斜視図である。
【図３】図１の天端面被覆構造の変形例を示した断面図である。
【図４】図１の天端面被覆構造とは異なる構造の天端面被覆構造の一例を示した断面図である。
【図５】従来の天端面被覆構造の一例を示した断面図である。
【符号の説明】
Ａ      パラペット
Ｂ      天端面
１      天端面被覆構造
２      化粧材
３      笠木材
４      笠木ホルダー材
５      躯体固着面部
６      側壁面部
７      天面部
８      巻き込み部
９      立設壁部
８ａ    垂下面
８ｂ    水平面
１０    アンカーボルト
１１    天板面部
１２    垂下側面部
１３    係止受片部
１４    係止片縁部
１５    中間連結部材
１６    下折部材
１７    上折部材
１７ａ  突入片部
１７ｂ  脚部
１７ｃ  支持凸条部
１７ｄ  起立壁部
１７ｅ  係止受端部
１８    アンカーボルト
１９    シーリング処理
２０    付勢部材
２１    係止凸部
３０    天端面被覆構造
３１    防水シート材
【図１】
0004184518.tif 000002
【図２】
0004184518.tif 000003
【図３】
0004184518.tif 000004
【図４】
0004184518.tif 000005
【図５】
0004184518.tif 000006